(57)【要約】      （修正有）【課題】ファスナー部材を固定部材の取付凹部に容易に取付ける取付治具の提供。【解決手段】固定部材として、シート３の端部が接続される凹溝２２を有するとともに上記凹溝２２に端部が接続されるシート３から露出する部位にシート引張り方向とほぼ直交する方向に長い取付溝２２ｅを有するファスナー部材２２と、該ファスナー部材２２が取付けられる取付凹部２０を有する固定部材本体とに分割されたものを用い、上記ファスナー部材２２にシート３の端部を連結するシート連結工程と、該ファスナー部材２２をシート３とは反対側へ向けて引っ張って上記取付凹部２０の上方に位置せしめる引張工程と、該ファスナー部材２２を下方に降ろして上記取付凹部２０内に入込む入込工程とを含み、引張工程及び入込工程において取付溝に挿着される突起部５０ａと把持するための把持部５０ｃとを有する取付治具５０を用いる。【選択図】図４
2008174925.tif 000002
【特許請求の範囲】
【請求項１】
シートの端部を引っ張って固定部材に接続するシート接続方法であって、
前記固定部材として、前記シートの端部が接続される凹溝を有するとともに上記凹溝に
端部が接続されるシートから露出する部位にシート引張り方向とほぼ直交する方向に長い
取付溝を有するファスナー部材と、該ファスナー部材が取付けられる取付凹部を有する固
定部材本体とに分割されたものを用い、
上記ファスナー部材にシートの端部を連結するシート連結工程と、
該ファスナー部材をシートとは反対側へ向けて引っ張って上記取付凹部の上方に位置せ
しめる引張工程と、
該ファスナー部材を下方に降ろして上記取付凹部内に入込む入込工程とを含み、
上記引張工程及び入込工程において上記取付溝に挿着される突起部と把持するための把
持部とを有する取付治具を用いることを特徴とするシート接続方法。
【請求項２】
請求項１記載のシート接続方法において、
前記取付溝を、溝底が溝開口よりも前記引張り方向側に寄るように傾斜させるとともに、
前記取付治具の突起部を、前記溝底に対応する先端が前記溝開口に対応する部分よりも前記引張り方向側に寄るように傾斜させることを特徴とするシート接続方法。
【請求項３】
請求項１または２に記載のシート接続方法に用いる取付治具であって、
前記ファスナー部材の取付溝に挿着される突起部と把持するための把持部とを有し、突起部と把持部との間に、把持部を突起部よりも前記引張工程での引張り方向側に位置させる連結部が設けられていることを特徴とする取付治具。
【発明の詳細な説明】
【技術分野】
【０００１】
本発明は、固定部材にシートの端部を接続して構造物（例えばテントやドーム等）を建
てる際に用いるシート接続方法及びそのシート接続方法に好適に用いられる取付治具に関
する。
【背景技術】
【０００２】
上述した固定部材にシートの端部を接続する方式として、図５に示すように、シート１
００の端部１００ａを折り返して重ねた部分の内側に係止部材１０１を入れ、その係止部
材１０１をファスナー部材１０２の凹部１０３に挿入し、そのファスナー部材１０２を固
定部材１０４の取付凹部１０５に入れ、取付凹部１０５に形成した係止部１０６にファス
ナー部材１０２に形成した被係止部１０７を係止させることで、ファスナー部材１０２を
抜け防止した状態で固定部材１０４の取付凹部１０５に取付ける方式が知られている（例
えば特許文献１参照）。
【特許文献１】実公平４−３７１４９号公報
【発明の開示】
【発明が解決しようとする課題】
【０００３】
しかしながら、上述した従来方法による場合には、ファスナー部材１０２を取付凹部１
０５に取付ける際に以下のような難点があった。すなわち、ファスナー部材１０２が取付
凹部１０５の外側に位置しているときはファスナー部材１０２を手で確実に掴むことがで
きるので、ファスナー部材１０２の位置を容易に調整することができる。これに対し、フ
ァスナー部材１０２を取付凹部１０５に入れ込むときは、ファスナー部材１０２の長さが
取付凹部１０５とほぼ同一寸法またはより短い寸法であると、取付凹部１０５の両側に外
側へはみ出した掴み部分が無いために、ファスナー部材１０２を掴み難くなり、取付凹部
１０５への容易な入れ込みができなくなるという難点がある。
【０００４】
本発明は、このような従来技術の課題を解決するためになされたものであり、ファスナ
ー部材を固定部材の取付凹部に容易に取付けるようにすることができるシート接続方法及
びそのシート接続方法に好適に用いられる取付治具を提供することを目的とする。
【課題を解決するための手段】
【０００５】
本発明のシート接続方法は、シートの端部を引っ張って固定部材に接続するシート接続方法であって、前記固定部材として、前記シートの端部が接続される凹溝を有するとともに上記凹溝に端部が接続されるシートから露出する部位にシート引張り方向とほぼ直交する方向に長い取付溝を有するファスナー部材と、該ファスナー部材が取付けられる取付凹
部を有する固定部材本体とに分割されたものを用い、上記ファスナー部材にシートの端部
を連結するシート連結工程と、該ファスナー部材をシートとは反対側へ向けて引っ張って
上記取付凹部の上方に位置せしめる引張工程と、該ファスナー部材を下方に降ろして上記
取付凹部内に入込む入込工程とを含み、上記引張工程及び入込工程において上記取付溝に
挿着される突起部と把持するための把持部とを有する取付治具を用いることを特徴とする
（請求項１）。
【０００６】
本発明のシート接続方法において、請求項１記載のシート接続方法において、前記取付溝を、溝底が溝開口よりも前記引張り方向側に寄るように傾斜させるとともに、前記取付治具の突起部を、前記溝底に対応する先端が前記溝開口に対応する部分よりも前記引張り方向側に寄るように傾斜させることを特徴とする（請求項２）。
【０００７】
本発明の取付治具は、請求項１または２に記載のシート接続方法に用いる取付治具であ
って、前記ファスナー部材の取付溝に挿着される突起部と把持するための把持部とを有し、突起部と把持部との間に、把持部を突起部よりも前記引張工程での引張り方向側に位置させる連結部が設けられていることを特徴とする。
【発明の効果】
【０００８】
本発明のシート接続方法および取付治具による場合には、シートの端部が凹溝に連結さ
れたファスナー部材の取付溝に取付治具の突起部を挿着し、取付治具の把持部を手で把持
してシートとは反対側にファスナー部材を引っ張り、固定部材本体の取付凹部の上方に位
置せしめて下方に降ろすと、ファスナー部材を取付凹部内に容易に入れ込むことができる。よって、ファスナー部材と取付凹部の長さの大小関係に拘わらずファスナー部材を取付凹部に容易に取付けるようにすることができる。
【０００９】
請求項２のシート接続方法による場合には、取付溝が溝底を溝開口よりも引張り方向側
に寄せて傾斜しているとともに、突起部が取付溝の溝底に対応する先端を取付溝の溝開口に対応する部分よりも引張り方向側に寄せて傾斜しているので、取付溝に挿着した突起部が取付溝から抜け難い。よって、強い力でファスナー部材を移動させることができる。
【発明を実施するための最良の形態】
【００１０】
以下に、本発明の実施形態を具体的に説明する。
【００１１】
図１は本発明のシート接続方法が適用されるシート接続部を示す分解図（正面図）で、
図２はその要部を拡大して示す正面図、図３は本発明のシート接続方法に用いられる取付
治具を示す外観斜視図である。
【００１２】
図１に示すシート接続手段２は、支柱１の上端に設けられた水平板１ａの上側に取付け
られる固定部材１０と、固定部材１０の上に設けられる防水カバー１１と、更にその上に
設けられるカバー部材１２とを有する。固定部材１０は水平板１ａにボルト１３ａとナッ
ト１３ｂにより固定され、その固定部材１０に対して防水カバー１１及びカバー部材１２
がボルト１４ａとナット１４ｂにより固定されている。なお、防水カバー１１とカバー部
材１２の間には、ボルト１４ａに挿通させて防水性ワッシャ１４ｃが配されている。なお、図２中の１３ｃと１４ｄはワッシャである。
【００１３】
上記固定部材１０は、隣合うシート３、３の間であってシート３の端部３ａに沿う方向
に長手方向を一致させて配置されるものであり、図２に示すように、一対の取付凹部２０
を有する固定部材本体２１と、上記取付凹部２０に着脱可能に取付けられる一対のファス
ナー部材２２とを有する。
【００１４】
取付凹部２０は上記長手方向と直交する幅方向の両側に長手方向に沿って形成されてい
て、その内奥部に引掛け部２０ａが形成されている。各取付凹部２０には、それぞれファ
スナー部材２２が被引掛け部２２ａを引掛け部２０ａに引掛けて取付けられる。この取付
け状態において、両ファスナー部材２２と、これらの間の固定部材本体２１の部分との高
さはほぼ一定となっていて、各取付凹部２０の外側は少し低く、傾斜面２１ａが形成され
ている。傾斜面２１ａの上には防水部材２１ｂが取付けられ、防水部材２１ｂの上面は外
側が高く内側が低くなっている。
【００１５】
このような上面を有する固定部材１０の上に設けられるカバー部材１２の下面および防
水カバー１１は、固定部材１０の上面に対応する凹凸状態に形成されていて、固定部材１
０に対してカバー部材１２をボルト１４ａおよびナット１４ｂにより取付けると、例えば
ゴム等の弾性部材からなる防水カバー１１のほぼ全域が固定部材１０に押し付けられる。
【００１６】
各ファスナー部材２２には、その長手方向に沿って凹溝２２ｂが形成されている。図左
側のファスナー部材２２の凹溝２２ｂは左向きに開口２２ｃを配して形成され、図右側の
ファスナー部材２２の凹溝２２ｂは右向きに開口２２ｃを配して形成されている。
【００１７】
各シート３は、端３ｂよりも少し内側で折り返されて二重に重なった端部３ａを有し、
その端部３ａの内側に係止部材２３を入れ、係止部材２３よりも外側の二重部分を縫製等
により連結して形成されている。係止部材２３は、例えば紐状のものが用いられる。各シート３の材質は、特に限定されるものではなく、繊維の織物や編物に樹脂コーティングしたもの、或いはフッ素樹脂や塩化ビニル樹脂のみのフィルムも含む。
【００１８】
各凹溝２２ｂには、係止部材２３が溝の長手方向両端の開口部の一方から取付けられる。各凹溝２２ｂは、開口２２ｃの内側に設けた肉部２２ｄにより内奥部よりも開口２２ｃが狭くなっていて、係止部材２３が抜け出るのを防止している。なお、開口２２ｃの幅は、係止部材２３の直径よりも短寸に形成されている。
【００１９】
また、前記各ファスナー部材２２には、取付溝２２ｅが設けられている。各取付溝２２
ｅは、前記凹溝２２ｂと平行な方向、換言すると後述するシート引っ張り方向とほぼ直交
する方向に長く、下向きに窪んでいて、後述するように凹溝２２ｂに端部３ａが接続され
るシート３から露出する部位に形成されている。
【００２０】
このように構成されたシート３の固定部材１０への接続方法は、以下のように行われる。
【００２１】
まず、支柱１の水平板１ａの上に固定部材本体２１を、ボルト１３ａ等により固定する
とともに、２枚のシート３のそれぞれに係止部材２３を取付ける。各シート３への係止部
材２３の取付けは、次のように行う。シート３の端３ｂを、端部３ａから反対側に折り返
し、その折り返し部分の内側に係止部材２３を入れ、係止部材２３よりも外側の二重部分
を縫製等により連結する。
【００２２】
次に、一方（図示例の右側）のシート３の係止部材２３を、固定部材本体２１の幅方向
の右側に配されるファスナー部材２２の凹溝２２ｂに取付ける（シート連結工程）。この
取付けは、上述したように凹溝２２ｂの長手方向両端の一方から係止部材２３を挿入して
行う。これよりも後に、又は前に、他方（図示例の左側）のシート３の係止部材２３を、
固定部材本体２１の幅方向の左側に配されるファスナー部材２２の凹溝２２ｂに、同様に
して取付ける。
【００２３】
次に、ファスナー部材２２を固定部材本体２１の取付凹部２０に取付ける。この取付け
には、前記ファスナー部材２２の取付溝２２ｅと、図３に示す取付治具５０とを用いる。
取付治具５０は、取付溝２２ｅに挿着する突起部５０ａと、手で把持する把持部５０ｃと、これら突起部５０ａと把持部５０ｃとの間に設けられた連結部５０ｂとを有する。この取付治具５０では、右側のファスナー部材２２に対し、取付溝２２ｅに突起部５０ａを挿着し、把持部５０ｃを把持して左方向へ引っ張り、左側のファスナー部材２２に対しては、突起部５０ａと把持部５０ｃとを逆向きにして取付溝２２ｅに突起部５０ａを挿着し、把持部５０ｃを把持して右方向へ引っ張るように用いられる。取付溝２２ｅに挿着する突起部５０ａは、先端５０ｄを連結部５０ｂに繋がった部分よりも引張り方向側に寄せて傾斜して形成されている。一方、ファスナー部材２２の取付溝２２ｅは、溝底２２ｆを溝開口２２ｇよりも、取付治具５０による引張り方向側に寄せて傾斜して形成されている。なお、当然のことながら、溝底２２ｆに対応する突起部５０ａの先端５０ｄは、溝開口２２ｇに対応する突起部５０ａの部分よりも引張り方向側に寄った位置関係である。
【００２４】
この取付治具によるファスナー部材２２の取付凹部２０への取付けは、図４に示すよう
に、右側のファスナー部材２２の取付溝２２ｅに、取付治具５０の突起部５０ａを挿着し、把持部５０ｃを把持して左方向へ引っ張り、ファスナー部材２２が固定部材本体２１の右側の取付凹部２０の上方に位置させ（引張工程）、その後、把持部５０ｃを降下させることで、取付凹部２０にファスナー部材２２を入込ませて取付ける（入込工程）。このとき、被引掛け部２２ａを引掛け部２０ａに引掛けて抜け防止する。これよりも後に、又は前に、左側のファスナー部材（図示せず）を固定部材本体２１の幅方向左側の取付凹部２０に、同様にして取付ける。但し、取付治具５０の向きと引っ張り方向は逆である。この工程において、シート３の端３ｂが上側に位置するように取付ける。
【００２５】
続いて、一方（例えば図示例では右側）のシート３の端３ｂを下側に、他方（例えば図
示例では左側）のシート３の端３ｂを上側にして重ね、その相互に重なる部分に、両面に
接着層を有するテープ２４を貼着する。これにより、両側のシート３、３は、テープ２４
を介して繋がった状態で固定部材１０に取付けられる。
【００２６】
しかる後、固定部材１０の上に、防水カバー１１およびカバー部材１２を、ボルト１４
ａ等により固定する。これにより、本実施形態のシート接続部が完成する。
【００２７】
なお、上述した実施形態では突起部５０ａをその先端５０ｄが連結部５０ｂに繋がった
部分よりも引張り方向側に寄るように傾斜して形成し、一方のファスナー部材２２の取付
溝２２ｅも、溝底２２ｆを溝開口２２ｇよりも引張り方向側に寄せて傾斜して形成してい
るが、本発明はこれに限らない。例えば、突起部５０ａの先端に引張り方向側に折り曲げ
た鈎部を形成し、取付溝２２ｅの溝底２２ｆ近傍の側面に前記鈎部が係止される凹部を形
成した構成であってもよく、或いは、他の抜け防止手段（例えば摩擦抵抗を増大化させる
等）を有する構成であってもよい。そして、このような抜け防止手段を備える場合には、
突起部５０ａ及び取付溝２２ｅの傾斜角度は垂直または垂直に近い角度としてもよい。
【００２８】
また、上述した実施形態では固定部材の両側にシートを接続しかつ両シートの端をテー
プ（２４）により一体的に繋ぐ例を挙げているが、本発明はこれに限らない。テープ（２
４）を省略して両シートが分離した構成としてもよい。又は、固定部材の片側にのみシー
トを接続する場合にも同様に適用することができる。なお、相互に重なる部分の接合は、テープ以外にも熱接合や接着剤による接合でもよい。
【図面の簡単な説明】
【００２９】
【図１】本発明のシート接続方法が適用されるシート接続部を示す分解図（正面図）である。
【図２】図１のシート接続部の要部を拡大して示す正面図である。
【図３】本発明のシート接続方法に用いられる取付治具を示す外観斜視図である。
【図４】図３の使用方法の説明図である。
【図５】特許文献１のシート接続部を示す正面断面図である。
【符号の説明】
【００３０】
３    シート
１０    固定部材
２０    取付凹部
２１    固定部材本体
２２    ファスナー部材
２２ｂ    凹溝
２２ｃ    開口
２２ｅ    取付溝
２２ｆ    溝底
２２ｇ    溝開口
２３    係止部材
５０    取付治具
５０ａ    突起部
５０ｂ    連結部
５０ｃ    把持部
５０ｄ    先端
【図１】
2008174925.tif 000003
【図２】
2008174925.tif 000004
【図３】
2008174925.tif 000005
【図４】
2008174925.tif 000006
【図５】
2008174925.tif 000007